(57)【要約】【課題】土台水切を着脱自在とする構成を採用しながら、水の浸入によって土台水切やその支持部材が劣化したり腐食したりすることを抑制すること。【解決手段】外壁の下方に配置された土台水切１６を備えており、外壁の表面を伝って流下した水はこの土台水切１６によって基礎１１よりも外側へ排出される。この土台水切１６は、その有する鉤状部２３が支持部材３１側の溝部３６に挿入されることで引っ掛け支持されている。土台水切１６と外壁材１５との間の隙間４１には定形シール部材４２が設けられて、その隙間４１に対する防水対策が施されている。定形シール部材４２を取り除けば、引っ掛け支持されている土台水切１６は建物横方向にスライドさせて着脱が自在となる。【選択図】図１
2010174595.tif 000002
【特許請求の範囲】
【請求項１】
外壁の下方に配置されて同外壁の表面を伝って流下した水を基礎よりも外側へ排出する水切部材が設けられた建物の水切構造であって、
前記水切部材を引っ掛け支持する引っ掛け部を有する支持部材が前記建物の水切取付箇所に固定され、その支持部材を外側から覆う状態で、前記引っ掛け部に引っ掛けて前記水切部材が取り付けられ、
前記引っ掛け部による前記水切部材の支持部分に対する水の浸入、又は同支持部分に対して浸入した水の前記基礎側への排出を防止する防水部材が取り付けられていることを特徴とする建物の水切構造。
【請求項２】
前記支持部材により前記水切部材は前記外壁の壁面に沿う方向へスライド自在に支持され、該スライドによって前記水切部材が前記支持部材に対して着脱されることを特徴とする請求項１に記載の建物の水切構造。
【請求項３】
前記水切部材の支持構造として、前記支持部材側には前記外壁の壁面に沿う方向に延びる溝部が形成されるとともに、前記水切部材はその有する挿入部が前記溝部に挿入されて引っ掛けられる構造を有しており、
前記溝部の横方向端部は開放されていて、前記水切部材をスライドさせる場合には前記溝部の開放端から同溝部に前記挿入部が挿入又は引き出されるようになっていることを特徴とする請求項２に記載の建物の水切構造。
【請求項４】
前記防水部材は、前記水切部材の引っ掛け支持部分と前記外壁の下端との間の隙間に設けられて両者の間をシールするシール部材であることを特徴とする請求項１乃至３のいずれか１項に記載の建物の水切構造。
【請求項５】
前記支持部材により引っ掛け支持された前記水切部材は、前記外壁の一部となる外壁材の下方に同外壁材の下端面と前記隙間を隔てて対向する水平面部を有し、前記隙間に前記シール部材としての定形シール部材が設けられていることを特徴とする請求項４に記載の建物の水切構造。
【請求項６】
前記シール部材は弾性材料により形成された定形シール部材であり、前記隙間に圧縮された状態で介在していることを特徴とする請求項４又は５に記載の建物の水切構造。
【請求項７】
前記水切部材はその長手方向に沿って伸縮自在に構成されていることを特徴とする請求項２乃至６のいずれか１項に記載の建物の水切構造。
【請求項８】
前記水切部材は外壁面よりも屋外側へ突き出た状態の前垂部を備えるとともに、複数の分割構成体が連結されてなり、
一の又は複数の分割構成体が取り除かれて形成された取り除き部分に屋外設備の背面側を挿入させて、同屋外設備が設置されるようにしたことを特徴とする請求項１乃至７のいずれか１項に記載の建物の水切構造。
【発明の詳細な説明】
【技術分野】
【０００１】
本発明は、水切部材を備えた建物の水切構造に関する。
【背景技術】
【０００２】
一般に、建物の外側下方には土台水切が設けられている。それというのも、建物の外壁に雨などが降りかかりその外壁を伝って水が流下する場合、その流下した水が基礎側に浸入すると、床下空間の湿度が高まる。その湿度の高まりは木製の床材や床下に配置されている鉄骨や接合金物等の金属を腐食させる原因となるため、その浸入を防ぐ必要がある。そこで、この土台水切が設置されれば、外壁を伝って流下した水は基礎よりも屋外側へ排出されるため、前述した問題が解消されるのである。
【０００３】
この土台水切は雨天のたびに活用されるため、ある程度の期間経過により腐食や劣化が生じる場合がある。また、屋外に露出した状態で地面の近くに設置されるため、物の衝突などにより破損してしまう場合もある。このため、そのような場合に備え、取替えを可能とする土台水切の設置構造が提案されている（例えば、特許文献１参照）。
【０００４】
この従来の設置構造では、土台水切の支持部材として建物側に設けられ、屋外に向けて突出する板部と、土台水切に設けられて前記板部を上下で挟みこむ挟持部とを有している。そして、土台水切を取り付ける場合はその挟持部に板部が挟みこまれるように手前側から建物側に差し込み、取り外す場合は土台水切を手前側に引き抜くようになっている（特許文献１の各図を参照）。
【先行技術文献】
【特許文献】
【０００５】
【特許文献１】特開２００５−２７９０号公報
【発明の概要】
【発明が解決しようとする課題】
【０００６】
ところで、前述した設置構造のように、建物側の前記板部を土台水切の前記挟持部で挟持する構成では、外壁を伝って流下した水がその挟持部内に浸入する可能性がある。
【０００７】
それにもかかわらず、その水の浸入に対して何ら対策が施されていないため、土台水切の挟持部内へ水の浸入を許し、しかもその水は排出されずに溜まる。そのため、挟持部内に溜まった水が土台水切や前記板部を腐食させたり劣化させたりする原因になるという問題がある。
【０００８】
そこで、本発明は、水切部材を着脱自在とする構成を採用しながら、水の浸入によって水切部材やその支持部材が劣化したり腐食したりすることの抑制が可能な建物の水切構造を提供することを主たる目的とする。
【課題を解決するための手段】
【０００９】
本発明は、上記課題を解決するために、以下の手段を採用した。
【００１０】
すなわち、本発明では、外壁の下方に配置されて同外壁の表面を伝って流下した水を基礎よりも外側へ排出する水切部材が設けられた建物の水切構造であって、前記水切部材を引っ掛け支持する引っ掛け部を有する支持部材が前記建物の水切取付箇所に固定され、その支持部材を外側から覆う状態で、前記引っ掛け部に引っ掛けて前記水切部材が取り付けられ、前記引っ掛け部による前記水切部材の支持部分に対する水の浸入、又は同支持部分に対して浸入した水の前記基礎側への排出を防止する防水部材が取り付けられていることを特徴とする。
【００１１】
かかる構成によれば、水切部材が水切取付箇所に直接固定されるのではなく、支持部材が水切取付箇所に固定されて水切部材はその支持部材に引っ掛けられているため、水切部材の取り外しが容易となる。これにより、水切部材に破損や劣化等が生じれば、それを新たなものに交換することができる。もっとも、引っ掛け支持の構成を採用すると、外壁を伝って流下した水が水切部材の引っ掛け支持部分に入り込みやすくなるという問題が生じる。しかしながら、本発明では防水部材による防水対策が施されているため、そのような問題は解消される。このため、水の浸入によって水切部材や支持部材が劣化したり腐食したりすることを抑制できる。さらには、流下した水が基礎よりも内側へ入り込むことも防げるため、床下空間の湿度が高まることも抑制できる。床下空間の湿度が高まれば、木製の床材の腐食や床下に配置されている鉄骨や接合金物等の金属腐食の原因にもなることから、得られるメリットは大きい。
【００１２】
この場合、前記支持部材により前記水切部材は前記外壁の壁面に沿う方向へスライド自在に支持され、該スライドによって前記水切部材が前記支持部材に対して着脱されるようにしてもよい。
【００１３】
かかる構成によれば、水切部材を建物横方向へスライドさせることにより支持部材に対して着脱されるため、外壁に近接して屋外設備（エアコンの室外機など）が設置されて同設備と外壁との隙間が狭い場合でも、水切部材をスライドさせればその着脱を容易に行うことができる。
【００１４】
従来は、水切部材が所定間隔（例えば、３００ｍｍ程度）ごとにネジ等の固定部材で固定されていたため、屋外設備の背後に配置されたネジの取り外しが行いづらく、水切部材の取替が困難であった。水切部材をスライドさせて着脱させるというこの構成により、このような従来の問題点が解消できるという意味ではその効果は顕著なものといえる。
【００１５】
前記水切部材の支持構造としては、前記支持部材側には前記外壁の壁面に沿う方向に延びる溝部が形成されるとともに、前記水切部材はその有する挿入部が前記溝部に挿入されて引っ掛けられる構造を有しており、前記溝部の横方向端部は開放されていて、前記水切部材をスライドさせる場合には前記溝部の開放端から該溝部に前記挿入部が挿入又は引き出されるようになっていることが好ましい。
【００１６】
かかる構成によれば、溝部の一方の開放端から水切部材の挿入部が挿入又は引き出されることでその水切部材はスライド自在とされる。この場合、挿入部を溝部に挿入又は引き出すという簡易な構成で水切部材のスライドを実現させることができる。
【００１７】
前記防水部材は、前記水切部材の引っ掛け支持部分と前記外壁の下端との間の隙間に設けられて両者の間をシールするシール部材であることが好ましい。
【００１８】
かかる構成によれば、シール部材によって水切部材の引っ掛け支持部分と外壁の下端との間の隙間がシールされるため、外壁を流下した水が両者の間から屋内側に浸入することを防ぐことができる。
【００１９】
この場合、シール部材の設置についてより具体的には、前記支持部材により引っ掛け支持された前記水切部材は、前記外壁の一部となる外壁材の下方に該外壁材の下端面と前記隙間を隔てて対向する水平面部を有し、前記隙間に前記シール部材としての定形シール部材が設けられていることが好ましい。
【００２０】
かかる構成によれば、水切部材には外壁材の下端面と対向する水平面部によって定形シール部材が面支持されるため、隙間に設けられた定形シール部材を安定して保持できる。
【００２１】
また、前記シール部材は弾性材料により形成された定形シール部材であり、前記隙間に圧縮された状態で介在していることが好ましい。
【００２２】
かかる構成によれば、隙間に弾性材料からなる定形シール部材が圧入されることになる。これにより、定形シール部材による隙間の防水効果に加え、水切部材が定形シール部材によって押圧されるため、引っ掛け支持された水切部材の固定も併せて実現できる。
【００２３】
なお、前記水切部材はその長手方向に沿って伸縮自在に構成されていてもよい。かかる構成によれば、水切部材を縮めた状態での着脱が可能となり、部材水切のスライドを許容するために必要な空間領域は小さくて済む。これにより、建物の側方に確保できるスライド許容空間が小さくても、水切部材をスライドさせて着脱することができる。
【００２４】
その他の好ましい構成として、前記水切部材は外壁面よりも屋外側へ突き出た状態の前垂部を備えるとともに、複数の分割構成体が連結されてなり、一の又は複数の分割構成体が取り除かれて形成された取り除き部分に屋外設備の背面側が挿入させて、同屋外設備が設置されるようにしてもよい。
【００２５】
かかる構成によれば、設置しようとする屋外設備の横幅に合わせて一の又は複数の分割構成体を取り除けば、その取り除き部分に背面側を挿入させて屋内設備を設置することが可能となる。この場合、屋内設備はその背面を外壁に接触又は近接させて設置されるため、屋外設備の設置に必要なスペースを小さくすることができる。
【図面の簡単な説明】
【００２６】
【図１】建物の水切構造とその周辺部を示す縦断面図。
【図２】建物の水切構造とその周辺部を示す斜視図。
【図３】屋外から見た建物の概略図。
【図４】土台水切の別例を示す斜視図。
【図５】建物の水切構造の別例を示す縦断面図。
【図６】複数結合された建物ユニットを示す概略平面図。
【図７】土台水切の別例を用いた水切構造を示す斜視図。
【発明を実施するための形態】
【００２７】
以下、本発明を具体化した一実施形態を図面に基づいて説明する。本実施形態では、鉄骨ラーメン構造によるユニット式建物に本発明を具体化しており、そのユニット式建物は、周知のとおり複数の建物ユニットを結合させて構築されるものとなっている。これらの建物ユニットは、それぞれ工場にてあらかじめ製造され、その後、建築現場にトラック等により運搬されて当該建築現場において結合される。建物ユニットについて簡単に説明すると、建物ユニットは、各々長方形状に組み付けられる四辺の床大梁及び天井大梁と、床大梁及び天井大梁を四隅で連結する柱とを有しており、これらにより直方体状の骨格（フレーム）が形成されている。
【００２８】
かかるユニット式建物におけるその水切構造とその周辺部分等を含む構成について、図１を参照しながら説明する。なお、図１は建物の水切構造とその周辺部を示す縦断面図である。
【００２９】
図１に示すように、地盤部分には基礎１１が設けられ、同基礎１１の上には、建物一階部分を形成する建物ユニットの床大梁１２が設置されている。床大梁１２は断面コ字状の溝形鋼よりなり、その開口部が屋内側（図の右側）を向くようにして設置されている。なお、床大梁１２と基礎１１の天端との間には通気用の隙間Ｓが設けられている。
【００３０】
床大梁１２のウエブ部１２ａには、外壁パネル１３が取り付けられている。外壁パネル１３は、断面コ字状の軽量形綱（軽溝形綱）よりなる下地フレーム１４と、その下地フレーム１４に固定される矩形平板状の外壁材（窯業系サイディング板等）１５とを備え、それら下地フレーム１４と外壁材１５とがタッピングネジ等により接合固定されている。下地フレーム１４の下枠部１４ａは相対向する内側フランジ部Ｆ１及び外側フランジ部Ｆ２を有しており、内側フランジ部Ｆ１を床大梁１２のウエブ部１２ａに当接させた状態で両者がボルト及びナット等の締結具により接合固定されている。なお、図面上には現れていないが、下地フレーム１４の上枠部は天井大梁のウエブ部に対してこれと同様に固定されている。したがって、このように下地フレーム１４が床大梁１２及び天井大梁に固定されることにより、外壁パネル１３が建物ユニットに固定されている。
【００３１】
ちなみに、ユニット式建物では、複数の外壁パネル１３が横並びの状態で組み付けられている。隣接する外壁パネル１３がその下地フレーム１４同士で接合され、ボルト及びナット等の締結具により互いに連結固定されるようになっている。この場合、下地フレーム１４の上枠部及び下枠部１４ａがそれぞれ横一列に並ぶように配置されている。
【００３２】
外壁パネル１３の下地フレーム１４には、下枠部１４ａの長手方向（つまり、外壁の壁面に沿った方向）に沿って長尺状をなす土台水切１６（水切部材に相当）が取り付けられている。この土台水切１６は外壁材１５の下方に配置され、建物の各側面においてその横方向全域にわたって設けられている。土台水切１６は、基礎１１よりも屋外側かつ外壁面よりも屋内側で鉛直方向に延びる前垂部２１を有している。前垂部２１は、その下端部によって基礎１１の上端部が隠れるように、基礎１１の天端よりも下まで延びている。そして、この土台水切１６が設置されることにより、外壁を伝って流下した雨水等が基礎１１よりも屋外側に排出されるようになっている。
【００３３】
土台水切１６についてより詳しく説明すると、これは鋼製の薄板より形成されたものであり、その上端部は断面コ字状をなすように折り曲げられている。この折り曲げにより、前垂部２１の上端部にはその屋内側へ延びる水平面部２２が形成され、さらにその水平面部２２の端部には下向きの鉤状部２３（挿入部に相当）が形成されている。
【００３４】
一方、下地フレーム１４の外側フランジ部Ｆ２には、下枠部１４ａの長手方向に沿って長尺状をなす支持部材３１が取り付けられている。支持部材３１は外側フランジ部Ｆ２への取付部３２と、土台水切１６の水平面部２２を支持する支持部３３とが略Ｌ字状をなすように形成されている。そして、外側フランジ部Ｆ２の屋外側で支持部３３が外壁材１５の下端面と対向した状態に配置されるように、取付部３２がネジ３４によって外側フランジ部Ｆ２に固定されている。取付部３２の上部には段差部３５（引っ掛け部に相当）が設けられているため、外側フランジ部Ｆ２に取り付けられた状態では、当該外側フランジ部Ｆ２と支持部３３との間に前記長手方向に沿って延びる溝部３６が形成されている。なお、図面上には現れていないが、この溝部３６は支持部材３１の両端部で外に向かって開放されている。また、支持部３３は前記水平面部２２の下面と略同じ奥行き幅（図の左右方向の幅）を有している。
【００３５】
そして、支持部材３１による土台水切１６の支持構造として、土台水切１６の前記鉤状部２３が支持部材３１側の前記溝部３６に挿入されており、かつ水平面部２２の略全域が支持部３３によって下支えされている。これにより、土台水切１６が支持部材３１に対して引っ掛け支持されている。支持部材３１によって引っ掛け支持された土台水切１６においては、水平面部２２が外壁材１５の下端面と隙間４１を隔てて対向した状態となっている。この隙間４１には建物横方向の全域にわたり、定形シール部材４２（防水部材に相当）が設けられている。この定形シール部材４２はゴム等の弾性材料により長尺状をなすように形成されたものであり、隙間４１の上下幅よりも厚く形成されている。このため、定形シール部材４２は圧縮された状態で隙間４１に設けられている。このように圧縮された状態で隙間４１に介在することで、水平面部２２は支持部３３側に押圧されて土台水切１６が固定されるとともに、隙間４１が密封されている。
【００３６】
次に、上記構造において、既存の土台水切１６が腐食や劣化したこと等を原因としてその土台水切１６を取り替えようとする場合の取替方法、つまり土台水切１６を支持部材３１に対して着脱する方法について説明する。
【００３７】
その前提として、土台水切１６周辺の屋外の様子を説明する。図３には屋外から見た建物の概略図が示されているが、同図に示されているように、ユニット式建物Ｔの屋外にはエアコンの室外機、給湯機、ＬＰＧボンベなどの各種の屋外設備５１，５２が設置されている。これら屋外設備５１，５２は通常、外壁に近接した状態で地面Ｇに設置され、少なくとも土台水切１６の設置部分よりも高い高さを有している。このため、屋外設備５１，５２が設置された箇所では土台水切１６が外から隠されていて、屋外設備５１，５２の背後にある外壁との隙間は狭くなっている。
【００３８】
従来、下地フレーム１４に対する土台水切の取付構成として、土台水切の取付部が下枠部１４ａの外側フランジ部Ｆ２に所定間隔（例えば、３００ｍｍ程度）ごとにネジで固定されるという構成を有していた。このような取付構成の場合、屋外設備５１，５２が設置された箇所では当該設備５１，５２と外壁との間の隙間が狭くなっているため、設備５１，５２の背後に配置されたネジの取り外しが行いづらい。そのため、土台水切１６を取り替えることが困難であるという問題を抱えていた。
【００３９】
これに対し、前述した支持構造を有する本実施形態の土台水切１６は、その長手方向（建物Ｔの横方向）にスライドさせることで支持部材３１への着脱を行えるため、前述したような問題は解消される。以下、図２を参照しながらその具体的な取替方法を説明する。図２は、建物の水切構造とその周辺部を示す斜視図である。なお、以下の説明では、土台水切１６の長手方向における両側方には、当該土台水切１６をスライドさせるだけの空間領域が確保されているものとする。
【００４０】
建物の外壁の下方に設置されている土台水切１６を取り替える場合、まず、図２に示されているように、隙間４１に介在する定形シール部材４２を取り外す。この場合、定形シール部材４２は隙間４１に圧入されているだけであるから、その端部を引っ張りながら隙間４１から引き出すことで容易に取り外せる。
【００４１】
この定形シール部材４２をすべて取り外した状態では、土台水切１６はその水平面部２２と鉤状部２３とで支持部材３１に引っ掛け支持されているだけである。そして、鉤状部２３が挿入されている支持部材３１側の溝部３６は、その両端部が外に開放されている。このため、図２及び図３に矢印で示されているように、土台水切１６を長手方向にスライドさせ、支持部材３１の両端部のうち一方の側から引き抜くことで土台水切１６を支持部材３１から取り外せる。この引き抜きを行う場合において、いまだ引き抜かれていない部分では鉤状部２３が溝部３６に挿入され、かつ水平面部２２が支持部３３に下支えされた状態が維持されている。このため、水平面部２２はスライド平面部として、支持部３３は支持平面部として機能する。
【００４２】
次いで、新たな土台水切１６を取り付ける場合、前述した土台水切１６の取り外しと逆のことを実施する。まず、支持部材３１の両端部のうち一方の側から、溝部３６に鉤状部２３を挿入させながら土台水切１６をその長手方向にスライドさせて差し込んでいく。この差し込みを行う場合において、鉤状部２３が溝部３６に挿入された部分では水平面部２２が支持部３３に下支えされながらスライドするため、水平面部２２がスライド平面部として、支持部３３は支持平面部として機能する。新たな土台水切１６が支持部材３１に取り付けられた後、隙間４１に定形シール部材４２を圧入する。これにより、土台水切１６はその水平面部２２が支持部３３側に押圧されて固定されるとともに、隙間４１が密封される。
【００４３】
このように土台水切１６をその長手方向にスライドさせながら引き抜いたり差し込んだりすれば、屋外設備５１，５２の背後の隙間が狭くなっている場合でも、土台水切１６を容易に取り替えることができる。
【００４４】
ちなみに、屋外設備５１，５２が存在しない場合（例えば、新築時や設備の非設置側面）や、設備５１，５２の背後に十分な隙間が確保されている場合であれば、手前側への引き抜きや手前側からの取り付けによって土台水切１６の着脱を行うことが可能である。この場合、隙間４１を利用して土台水切１６を上方へ持ち上げながら屋外側へ引く抜くことで、土台水切１６を支持部材３１から取り外せる。また、隙間４１を利用して鉤状部２３を手前から奥に差し込みながら溝部３６に挿入させることで、土台水切１６が取り付けられる。
【００４５】
以上より、本実施形態の水切構造では、以下に示す有利な効果が得られる。
【００４６】
（１）土台水切１６はスライドさせることで着脱自在となっているため、土台水切１６に破損や劣化等が生じれば、それを新たなものに交換できる。この場合、土台水切１６は引っ掛け支持されているだけであるが、定形シール部材４２によって土台水切１６の引っ掛け支持部分と外壁材１５の下端面との間の隙間４１がシールされるため、外壁を流下した水が両者の間から屋内側に浸入することを防げる。これにより、土台水切１６や支持部材３１の劣化や腐食を抑制できる。しかも、水が基礎１１よりも屋内側へ入り込むことも併せて防げるため、木製床材や床下の鉄骨等の金属を腐食させる原因となる床下空間の湿度の高まりも抑制できる。
【００４７】
（２）所定間隔ごとにネジ止めされていた従来と異なり、土台水切１６は建物横方向へスライドさせて着脱される。このため、外壁に近接して屋外設備５１，５２が設置されて同設備５１，５２と外壁との隙間が狭くなっている場合でも、土台水切１６をスライドさせればその着脱を容易に行える。しかも、そのスライドは、溝部３６の一方の開放端から鉤状部２３を挿入又は引き出すという簡易な構成で実現できる。
【００４８】
（３）土台水切１６は外壁材１５の下端面と対向する水平面部２２を有しており、この水平面部２２によって定形シール部材４２が支持されるため、同定形シール部材４２を安定して保持できる。
【００４９】
（４）定形シール部材４２は弾性材料により形成され、これが隙間４１に圧入されているため、隙間４１の防水効果に加え、水平面部２２が支持部３３側に押圧されることになり、引っ掛け支持された土台水切１６の固定も併せて実現できる。
【００５０】
なお、以上説明した実施の形態に限らず、例えば以下に別例として示した形態で実施することもできる。
【００５１】
（ア）建物側面の横幅によっては、その側面全域にわたって設置された土台水切１６のスライドを許容するだけの空間領域を確保することが困難な場合もある。また、ユニット式建物の場合、土台水切１６があらかじめ工場にて各建物ユニットに取り付けられる。そこで、このような場合には、土台水切１６が複数に分割された構成が採用される。この場合、各分割体をその端部同士を突き合わせるように連結することで土台水切１６が設置される。この場合、各分割体同士のつなぎ目が生じることになるが、そのつなぎ目はシール材等でシールすれば屋内側に水が浸入することを防げる。
【００５２】
また、土台水切１６を分割するのではなく、図４に示されているように、入れ子式の構造を採用して伸縮自在とする構成を採用してもよい。この場合、土台水切６１を縮めた状態で支持部材３１にスライドさせながら取り付けた後、各構成体６２を順次引き出して伸ばしていく。土台水切１６の長さを縮めることが可能なため、この構成でも必要なスライド許容空間を小さくすることができる。
【００５３】
（イ）上記実施の形態では、外壁を伝って流下した水の浸入を防ぐ防水部材として定形シール部材４２が採用されているが、これを省略し、土台水切の支持部分に浸入した水の基礎側への排出を防止する防水部材が設けられた構成を採用してもよい。このような防水部材が設置される構成について、上記実施の形態と異なる点を中心に図５及び図６を参照しながら簡単に説明する。なお、図５は建物の水切構造の別例を示す縦断面図であり、図６は結合された建物ユニットを示す概略平面図である。
【００５４】
図５に示されているように、この別例は上記実施の形態と同様の構造を有しているが、それと異なる土台水切７１（水切部材に相当）と支持部材８１とを備え、さらに鋼製の薄板により形成された水受けシート７７（防水部材に相当）を備えている。土台水切７１は前垂部７２の上端部が折り曲げられることにより、鉛直をなす取付面部７３と、下向きの凸状をなす挿入凸部７４（挿入部に相当）とが形成されている。一方、支持部材８１は取付部８２と段差部８３（引っ掛け部に相当）とを有し、外側フランジ部Ｆ２に取り付けられている。この場合、取付部８２が水受けシート７７の上端部を介在させた状態でネジ８４により外側フランジ部Ｆ２に固定され、これにより段差部８３とフランジ部Ｆ２との間には溝部８５が形成されている。この溝部８５は、支持部材８１の両端部で外に向かって開放されている。水受けシート７７は前述したように支持部材８１の取り付けに併せて外側フランジ部Ｆ２に取り付けられ、その取付状態では下端部によって基礎１１の上端部が隠れるように同基礎１１よりも屋外側で天端よりも下まで延びている。
【００５５】
そして、土台水切７１の前記挿入凸部７４が支持部材８１側の前記溝部８５に挿入されて、土台水切７１は支持部材８１に対して引っ掛け支持されている。さらに土台水切７１の取付面部７３では、ネジ７５により土台水切７１が支持部材８１及び下枠部１４ａの外側フランジ部Ｆ２に固定されている。
【００５６】
ここで、土台水切７１を固定するネジ７５が従来のように３００ｍｍ程度の所定間隔ごとに設けられた場合、土台水切７１の取替えに関して、屋外設備５１，５２の設置箇所での取り外しが困難になるという前述の問題をはらむ。このため、図６に示されているように、各建物ユニットＹの両端部のみを、土台水切７１がネジ７５によって固定される固定箇所Ｋとする。この固定箇所Ｋは建物側面のごく一部分にすぎないため、屋外設備５１，５２の非設置領域として設定することができる。
【００５７】
図５に戻り、この構成では、外壁を伝って流下した水が外壁材１５の下端面を伝い土台水切７１と外側フランジ部Ｆ２との間に入り込んだ場合でも、その水が溝部８５に溜められることなく水受けシート７７の屋外側を伝って基礎１１の屋外側に排出される。このため、水の浸入によって土台水切７１や支持部材８１が劣化したり腐食したりすることを抑制できる。
【００５８】
そして、土台水切７１を取り替える場合には、ネジ７５を取り外した後、土台水切７１を長手方向にスライドさせ、支持部材８１の両端部のうち一方の側から引き抜くことで土台水切７１を支持部材８１から取り外せる。逆に、新たな土台水切７１を取り付ける場合、支持部材８１の両端部のうち一方の側から、溝部８５に挿入凸部７４を挿入させながら土台水切７１をその長手方向にスライドさせて差し込んでいく。その後、ネジ７５を用いて差し込まれた土台水切７１を固定する。
【００５９】
したがって、この別例の水切構造においても、土台水切７１をその長手方向にスライドさせながら引き抜いたり差し込んだりすれば、屋外設備５１，５２の背後の隙間が狭くなっている場合でも、土台水切７１を容易に取り替えることができる。
【００６０】
（ウ）上記実施の形態では、土台水切１６はその前垂部２１が外壁面よりも屋内側に配置される構成となっているが、図７の斜視図に示された土台水切９１のように、外壁面よりも屋外側へ突き出た位置に配置された前垂部９２を有する構成を採用してもよい。この場合、屋外設備５１を外壁に近接して設置しようとすると、土台水切９１の前垂部９２と干渉してしまう。そのため、土台水切９１が複数に分割された構成を採用するとよい。これにより、一の又は複数の分割構成体９３を取り除くことで形成された取り除き部分を利用し、その部分に背面側を挿入させて屋内設備５１を設置することが可能となる。この場合、屋内設備５１はその背面を外壁に接触又は近接させて設置されるため、屋外設備の設置に必要なスペースを小さくすることができる。そして、このように屋外設備５１を設置した状態で、同設備５１の側面と土台水切９１の設備側端部との間にシール材９４が設けられるようにすれば、防水性を確保することができる。
【００６１】
（エ）上記実施の形態では、土台水切１６の引っ掛け支持構造として、支持部材３１の段差部３５と外側フランジ部Ｆ２との間に形成された溝部３６に鉤状部２３が挿入される構成を採用している。この場合、段差部３５が支持部材３１の引っ掛け部に相当することになるが、例えば、支持部材３１自身に引っ掛け部としての溝部が形成された構成を採用してもよい。また、鉤状部２３に代えて上記別例（イ）のような挿入凸部を採用し、それが溝部３６に挿入されるようにしてもよい。
【００６２】
（オ）上記実施の形態では、土台水切１６は前垂部２１の上端に水平面部２２が折り曲げ形成されているが、前垂部２１と水平面部２２との間に傾斜面部が形成されるようにしてもよい。これにより、水が排出されやすくなる。
【００６３】
（カ）上記実施の形態では、スライド平面部として機能する水平面部２２が土台水切１６に折り曲げ形成されているが、このような水平面部２２の形成を省略してもよい。この場合、支持部材３１の支持部３３も省略されることになる。
【００６４】
（キ）上記実施の形態では、ユニット式建物に具体化した例を説明したが、例えば鉄骨軸組工法や木造在来工法にて建てられた建物に適用してもよい。
【符号の説明】
【００６５】
１１…基礎、１５…外壁材、１６…土台水切（水切部材）、２２…水平面部、２３…鉤状部（挿入部）、３１…支持部材、３５…段差部（引っ掛け部）、４１…隙間、４２…定形シール部材（防水部材）、７１…土台水切（水切部材）、７４…挿入凸部（挿入部）、７７…水受けシート（防水部材）、８１…支持部材、８３…段差部（引っ掛け部）。
【図１】
2010174595.tif 000003
【図２】
2010174595.tif 000004
【図３】
2010174595.tif 000005
【図４】
2010174595.tif 000006
【図５】
2010174595.tif 000007
【図６】
2010174595.tif 000008
【図７】
2010174595.tif 000009